(57)【特許請求の範囲】
【請求項１】
伝送路を介して伝送され、受信された受信データであって、少なくとも刊行物のデータおよび広告のデータを含む受信データを記録媒体に記録したものを表示するデータ表示装置であって、
前記記録媒体に記録された前記刊行物のデータを、ページ単位で表示する表示手段と、
前記表示手段に表示させる前記刊行物のデータのページを変更するときに操作される操作手段と、
前記操作手段の操作に対応したページの前記刊行物のデータを前記記録媒体から読み出し、前記表示手段に表示させる表示制御手段と
を備え、
前記表示制御手段は、前記表示手段に同一ページの前記刊行物のデータが表示されている状態が、所定の時間続いた場合、前記表示手段の表示を、前記記録媒体に記録された前記広告のデータに変更し、さらに、前記表示手段に所定のページ数の前記刊行物のデータが表示された後、前記操作手段が操作された場合、その操作に対応したページの前記刊行物のデータの前に、前記広告のデータを前記記録媒体から読み出し、前記表示手段に表示させる
ことを特徴とするデータ表示装置。
【発明の詳細な説明】
【０００１】
【産業上の利用分野】
本発明は、例えば衛星回線やＣＡＴＶ網などの伝送路を介して電子的に配信された新聞や、雑誌、書籍などの刊行物のデータであって、広告のデータを含むものを表示する場合に用いて好適なデータ表示装置および方法に関する。
【０００２】
【従来の技術】
従来、例えばキャプテン（ＣＡＰＴＡＩＮ）システムなどの文字放送システムにおいては、テキストを中心とした情報の表示が行われるようになされており、またスポンサの広告は、例えば画面の一部に文字（テキスト）などで表示されるようになされている。また、その他の文字放送として、例えばテキストを中心とした情報の表示が切り換えられて、ビデオのみで広告の表示がなされるものもあるが、いずれにしても、その広告の印象は、視聴者に強く残るものではなかった。
【０００３】
ところで、最近では、例えば新聞などのデータ（新聞データ）（テキストデータ）を、静止画やグラフィックス、動画、音声などのデータと組み合わせたマルチメディアデータを、電子的に配信するデータ放送システムとして、例えば衛星のデータチャンネルに、マルチメディアデータを挿入し、これを衛星を介して伝送するものなどが考えられている。
【０００４】
この場合、マルチメディアデータの配信を契約した、例えば各家庭（ユーザ側）におけるデータ受信装置では、衛星からの信号が受信され、データチャンネルに挿入されたマルチメディアデータが取り出される。そして、このマルチメディアデータが、例えば磁気ディスクや光磁気ディスクなどの記録媒体に記録され、ユーザの要求に応じてそこから読み出される。読み出されたデータは、例えばディスプレイなどに表示されたり、プリントアウトされたり、あるいはスピーカから出力され、これによりユーザは、刊行物や、静止画、グラフィックス、動画を見たり、音声を聞くことができるようになされている。
【０００５】
従って、このようなデータ放送システムによれば、上述した文字放送における場合と異なり、テキスト、静止画、グラフィックス、動画、および音声を組み合わせた効果的な広告を行うことができる。
【０００６】
【発明が解決しようとする課題】
しかしながら、データ放送システムにおいては、マルチメディアデータが、上述したように記録媒体に一旦記録され、ユーザの要求に応じてそこから読み出されるため、広告のデータが、必ずしも読み出されるとは限らず、従って広告が、ユーザに見られないことがあった。
【０００７】
そこで、新聞紙面と同様に、１ページに新聞記事と広告を配置する方法、即ち新聞データとともに、広告のデータを表示する方法が考えられる。しかしながら、ユーザは、興味のない記事の新聞データは視聴しないことが考えられ、この場合、視聴されなかった新聞データとともに表示されるはずだった広告のデータも視聴されないことになる。さらに、この場合、広告のデータを、大きく表示すると、新聞データの視聴の妨げになる恐れがあるため、広告を、ユーザに印象づけるのは困難であった。
【０００８】
本発明は、このような状況に鑑みてなされたものであり、ユーザに、広告を、効果的に見せることができるようにするものである。
【０００９】
【課題を解決するための手段】
本発明のデータ表示装置は、記録媒体に記録された刊行物のデータを、ページ単位で表示する表示手段と、表示手段に表示させる刊行物のデータのページを変更するときに操作される操作手段と、操作手段の操作に対応したページの刊行物のデータを記録媒体から読み出し、表示手段に表示させる表示制御手段とを備え、表示制御手段は、表示手段に同一ページの刊行物のデータが表示されている状態が、所定の時間続いた場合、表示手段の表示を、記録媒体に記録された広告のデータに変更し、さらに、表示手段に所定のページ数の刊行物のデータが表示された後、操作手段が操作された場合、その操作に対応したページの刊行物のデータの前に、広告のデータを記録媒体から読み出し、表示手段に表示させることを特徴とする。
【００１１】
【作用】
本発明のデータ表示装置においては、操作に対応したページの刊行物のデータが記録媒体から読み出され、表示される。そして、同一ページの刊行物のデータが表示されている状態が、所定の時間続いた場合、その表示が、記録媒体に記録された広告のデータに変更される。さらに、所定のページ数の刊行物のデータが表示された後、操作に対応したページの刊行物のデータの前に、広告のデータが記録媒体から読み出され、表示される。従って、広告を、ユーザに、効果的に見せることができる。
【００１４】
【実施例】
図１は、本発明を適用したデータ受信／表示装置３により、例えば新聞データを中心とするマルチメディアデータを受信するデータ放送システムの構成例を示している。制作／編集システム１には、記事データベースおよび関連情報が入力されるようになされている。
【００１５】
記事データベースは、例えば新聞社などで構築されたものを流用したもので、新聞に印刷するための記事情報や写真情報、レイアウト情報などを含んでいる。関連情報は、記事データベースには蓄えられていない、例えば付加的なテキストデータや、静止画データ、動画像データ（画像データと、その画像データに付随する音声データでなる）（例えば、新聞記事に対応する、ニュース番組の画像と音声など）、音声データなどを含んでいる。さらに、関連情報は、スポンサの広告（広告情報）を含んでおり、その広告のデータは、テキストデータや、静止画データ、動画像データ、音声データなどを組み合わせたマルチメディアデータで構成されている。なお、記事データベースのデータおよび関連情報は、例えばディジタル化されている。
【００１６】
制作／編集システム１では、記事データベースのデータ（新聞データ）および関連情報が編集される。即ち、新聞データは、例えば各紙面ごとに、受信側（データ受信／表示装置３）において検索し易いフォーマットに、記事単位で編集される。例えば、この編集により、レイアウトはそのままで、見出しだけが見える形で紙面がそのまま縮小された検索のための画面（検索画面）が作成される。さらに、検索画面の見出しから、それに対応する記事を表示することができるように、検索画面（見出し）と、その詳細を記述した記事（記事データ）との関係付けが行われる。さらに、必要に応じて、検索画面（見出し）や記事データと、関連情報との関係付けも行われる。
【００１７】
また、関連情報に含まれる広告のデータ（マルチメディアデータ）は、広告単位で編集される。
【００１８】
このように、受信側で検索し易い形態に編集したデータ（マルチメディアデータ）は、放送送信装置２に供給される。放送送信装置２では、制作／編集システム１からのデータが、伝送用のフォーマットに変換され、さらに必要な処理（例えば、スクランブル処理や変調処理など）が施されて送信される。放送送信装置２から送信されたデータは、所定の伝送路（例えば、衛星回線などのような無線回線や、あるいはＰＳＴＮや、ＩＳＤＮ、ＣＡＴＶのケーブル、専用線、その他のデータ線などのような有線回線）を介して、受信側（データ受信装置／表示装置３）に伝送される。
【００１９】
データ受信／表示装置３は、放送送信装置２からのデータを受信する受信ブロックと、受信したデータを出力（データを、画像として表示、あるいは音声として出力）する表示ブロック（出力ブロック）とから構成されている。データ受信／表示装置３では、放送送信装置２からのデータが受信され、そのデータのフォーマットが、伝送用のフォーマットから、元のフォーマット（新聞データフォーマット）に変換される。そして、ユーザの操作に応じて、データ（マルチメディアデータ）が、後述する表示部２２（図２）に表示され、あるいはスピーカ２０から出力される。
【００２０】
なお、広告のデータとして、テキストデータや、静止画データ、動画像データ、音声データそのものを伝送する他、広告を、例えばスポンサの意向に応じて、容易に変更することができるように、広告の出力処理を行うプログラムをオブジェクト化したものを伝送するようにすることができる。この場合、受信側（データ受信／表示装置３）で、そのプログラムが実行されることにより、広告のデータとして、テキストデータや、静止画データ、動画像データ、音声データそのものを伝送したときと同様の広告の表示、出力が行われることになる。
【００２１】
次に、図２は、放送送信装置２から、例えば衛星回線を介してデータが伝送されてくる場合の、データ受信／表示装置３の構成例を示している。図２においては、受信アンテナ（パラボラアンテナ）１１、データ受信部１２、およびデータ記録部１３が受信ブロックを構成しており、データ復号部１５、表示／再生管理部１６、指示操作入力部１７、リモコン１８、音声再生部１９、スピーカ２０、動画再生部２１、表示部２２、記事／広告リスト記憶部２３、表示ログファイル２４、およびタイマ回路２５が、表示ブロック（出力ブロック）を構成している。なお、ここでは、受信ブロックと表示ブロックとで、１つのデータ受信／表示装置３を構成するようにしたが、受信ブロックと、表示ブロックとは、それぞれ独立した装置として構成することが可能である。
【００２２】
この場合、放送送信装置２において、マルチメディアデータは、例えば衛星のデータチャンネルに挿入されて伝送される。そして、そのデータは、受信アンテナ１１で受信され、データ受信部１２に供給される。データ受信部１２では、例えば受信アンテナ１１からの信号が復調され、データチャンネルに挿入されたデータが取り出される（なお、データにスクランブルがかけられている場合には、デスクランブル処理も行われる）。このデータは、データ記録部１３に供給され、そのスロット１３ａに装着されたミニディスク１４などの記録媒体に記録される。
【００２３】
データ復号部１５は、例えばミニディスク１４を着脱することができるようになされており、ミニディスク１４が装着されると、そこに記録されたデータ（マルチメディアの新聞データおよび広告のデータ）を読み出し、そのリスト（記事／広告リスト）を作成して記事／広告リスト記憶部２３に記憶させる。
【００２４】
ここで、後述する表示部２２の１画面を１ページとすると、上述した制作／編集システム１では、新聞データのうちの各記事データは、例えばページ単位のデータに編集されるようになされている。そして、ページ単位の各記事データには、ユニークなＩＤ（以下、適宜、記事ＩＤという）が付されるようになされている。また、広告のデータにも同様に、ユニークなＩＤ（以下、適宜、広告ＩＤという）が付されるようになされている。さらに、広告のデータには、表示部２２で表示する優先順位があらかじめ付されている。そして、上述した記事／広告リストには、ミニディスク１４に記録された新聞データの記事ＩＤおよび広告のデータの広告ＩＤが記述されるとともに、各広告ＩＤに、その広告のデータの優先順位が関係付けられて記述されるようになされている。
【００２５】
データ復号部１５は、記事／広告リストを記事／広告リスト記憶部２３に記憶させた後、表示／再生管理部１６の制御の下、ミニディスク１４に記録されたデータを再生し、そのデータを、表示再生管理部１６以降で取扱い可能なフォーマット（新聞データフォーマット）に変換し、表示再生管理部１６に出力する。
【００２６】
なお、データ復号部１５に、例えばハードディスクなどの記録媒体を内臓させ、そのハードディスクに、データ受信部１２からのデータを記録しておくようにすることが可能である。この場合、データ復号部１５は、その内蔵するハードディスクに記録されたデータを再生し、これにより記事／広告リストを作成し、また再生したデータを、表示再生管理部１６に出力することになる。
【００２７】
表示／再生管理部１６は、指示操作入力部１７から供給される信号（これは、後述するように、リモコン１８の操作に対応する信号）に対応して、後述する図７に示すフローチャートにしたがった処理を行う。即ち、表示／再生管理部１６は、例えばデータ復号部１５を制御し、ミニディスク１４からデータを再生させる。そして、そのデータが、音声データである場合には音声再生部１９に、動画像データである場合には動画再生部２１に、テキストデータまたは静止画データ（写真のデータを含む）である場合には表示部２２に、それぞれ出力する。これにより、表示部２２では画像の表示がなされ、スピーカ２０では音声が出力される。
【００２８】
さらに、表示／再生管理部１６は、例えば表示部２２に、所定のページ数の記事データを連続して表示させた後、さらに他のページの記事データの表示を行うようにリモコン１８が操作され、その操作に対応する信号が、指示操作入力部１７から供給された場合、リモコン１８の操作に対応したページの記事データの前に、また表示されていない広告のデータであって優先順位の最も高いものを、データ復号部１５を介してミニディスク１４から読み出し、表示部２２に表示させる。
【００２９】
また、表示／再生管理部１６は、例えば表示部２２に同一ページの記事データが表示されている状態が、所定の時間続いた場合、データ復号部１５を介してミニディスク１４から、まだ表示がされていない広告のデータであって優先順位の最も高いものを読み出し、その広告のデータを表示部２２に出力することにより、その表示を変更させる。なお、時間の計時は、タイマ回路２５によって行われ、表示／再生管理部１６は、タイマ回路２５の出力を参照して、表示部２２に同一ページの記事データが表示されている状態が、所定の時間続いたかどうか（表示部２２の表示が、所定の時間変更されていないかどうか）を判定する。
【００３０】
ここで、表示部２２に記事データが表示される場合、その表示画面は、後述する図３に示すように、その一部に広告のデータを表示するための領域が確保され、広告表示領域４１とされ、その他の領域が記事データを表示するための領域である記事表示領域とされる。
【００３１】
この場合、表示／再生管理部１６は、例えばデータ復号部１５を介してミニディスク１４から、まだ表示がされていない広告のデータであって優先順位の最も高いものを読み出し、その広告のデータを、表示部２２に出力して、広告表示領域４１に表示させる。そして、表示／再生管理部１６は、例えば表示部２２の広告表示領域４１に広告のデータが表示されてから所定の時間が経過すると、データ復号部１５を介してミニディスク１４から、まだ表示がされていない広告のデータであって優先順位の最も高いものをさらに読み出し、表示部２２の広告表示領域４１に表示させることを繰り返す。即ち、この場合、広告表示領域４１に、ミニディスク１４に記録された広告のデータであって、また表示されていないものが、その優先順位の高い順に、所定の時間間隔で順次表示される。
【００３２】
また、表示／再生管理部１６は、例えばミニディスク１４から読み出し、表示部２２に表示させた広告のデータの広告ＩＤ（記事データについても同様）を、表示ログファイル２４に記録する。従って、表示ログファイル２４には、既に表示された広告のデータの広告ＩＤが記録され、また記事／広告リスト記憶部２３には、広告のデータの優先順位が広告ＩＤとともに記憶されているから、表示／再生管理部１６において、上述したまだ表示がされていない広告のデータであって優先順位の最も高いもののミニディスク１４からの読み出しは、記事／広告リスト記憶部２３および表示ログファイル２４を参照することにより行われる。
【００３３】
動画再生部２１は、表示／再生管理部１６から動画像データが供給されると、その動画像データ（上述したように、画像データと、その画像データに付随する音声データでなる）から、画像データと音声データとを分離する。そして、画像データは表示部２２に、音声データは音声再生部１９にそれぞれ出力する。
【００３４】
音声再生部１９は、表示／再生管理部１６または動画再生部２１から供給される音声データをＤ／Ａ変換して、スピーカ２０に出力する。これにより、スピーカ２０から、音声データに対応する音声が出力される。表示部２２は、表示／再生管理部１６から供給されるテキストデータもしくは静止画データ、または動画像再生部２１から供給される画像データを表示する。
【００３５】
リモコン１８は、表示／再生管理部１６に所定の処理を行わせるときに操作される。リモコン１８からは、その操作に対応した光（例えば、赤外線など）が発され、その光は、指示操作入力部１７により受光される。指示操作入力部１７は、その受光した光に対応する信号を表示／再生管理部１６に出力する。これにより、表示／再生管理部１６では、リモコン１８の操作に対応した処理が行われる。
【００３６】
次に、図３乃至図６を参照して、その動作について説明する。リモコン１８が、データの表示を行うように操作されると、その操作に対応した信号が、指示操作入力部１７から表示／再生管理部１６に出力される。すると、表示／再生管理部１６は、データ復号部１５に、ミニディスク１４に記録されたデータのうちの、例えば新聞データの検索画面のデータを再生させ、表示部２２に供給する。これにより、表示部２２では、検索画面が表示される。
【００３７】
さらに、このとき、表示／再生管理部１６は、表示部２２を制御し、カーソル３１（図３）を表示させる。このカーソル３１は、リモコン１８の操作に対応して移動されるようになされている。
【００３８】
リモコン３１を操作してカーソル３１を、検索画面上のいずれかの見出しの位置に移動し、その位置を指定するようにリモコン３１をさらに操作すると、表示／再生管理部１６は、その見出しに関係付けられた記事データを、データ復号部１５を介してミニディスク１４から読み出し、表示部２２に出力する。さらに、表示／再生管理部１６は、データ復号部１５を介してミニディスク１４から、まだ表示がされていない広告のデータであって優先順位の最も高いものを読み出し、その広告のデータを、表示部２２に出力する。
【００３９】
これにより、表示部２２においては、例えば図３に示すように、記事データが表示されるとともに、例えばその画面上の右下に確保された広告表示領域（記事データを見る妨げとならない程度の大きさの領域）４１に、広告のデータが表示される。
【００４０】
なお、広告表示領域４１に表示される広告のデータは、その概要を内容とするものであり、その表示部分を、カーソル３１を移動して指定することにより、その広告のより詳細なデータ（詳細データ）が、ミニディスク１４に記録されている場合には、表示／再生管理部１６は、その詳細データをミニディスク１４から読み出し、（動画再生部２１を介して）音声再生部１９または表示部２２に出力するようになされている。これにより、スピーカ２０から広告の音声が出力され、または表示部２２の画面全体に、詳細な広告が表示されるようになされている。
【００４１】
以上のような記事データの表示後においては、リモコン１８を操作することにより、表示部２２に表示させる記事データを、ページ単位で変更することができる。即ち、リモコン１８が、いま表示されている記事データの前または次のページの記事データを表示するようにそれぞれ操作されると、表示／再生管理部１６は、その操作に対応したページの記事データを、データ復号部１５を介してミニディスク１４から読み出し、表示部２２に表示させる。
【００４２】
そして、表示部２２に、所定のページ数ｎ（ｎは、正の整数）の記事データが連続して表示された後、さらに他のページの記事データ（例えば、次のページの記事データ）の表示を行うようにリモコン１８が操作された場合、表示／再生管理部１６は、その次のページの記事データの前に、また表示されていない広告のデータであって、優先順位の最も高いものを、データ復号部１５を介してミニディスク１４から読み出し、表示部２２に表示させる。
【００４３】
即ち、例えばいま、図３が、ｎページ分の記事データが、表示部２２に連続して表示された状態であるとすると、その後、次のページの記事データの表示を行うようにリモコン１８が操作された場合には、その記事データの表示ではなく、例えば図４に示すような広告（この場合は、映画の広告）の表示が行われる。この場合、広告のデータに音声データがあるときには、その音声データは、音声再生部１９を介して、スピーカ２０から出力される。
【００４４】
そして、広告のデータの出力（表示）が終了すると、表示／再生管理部１６は、リモコン１８の操作に対応したページの記事データを、データ復号部１５を介してミニディスク１４から読み出し、表示部２２に表示させる。これにより、表示部２２においては、例えば図５に示すような画面表示（リモコン１８の操作に対応したページの記事データの表示）が行われる。
【００４５】
ここで、表示部２２に連続して表示された記事データのページ数のカウントは、例えば次のページの記事データの表示がされたときのみ行うようにすることができる。この場合、ページ数が１ずつインクリメントされて、記事データの表示が行われるときには、ｎページに１回の割合で広告のデータ（広告のページ）が表示されることになる。
【００４６】
なお、図５に示した画面表示が行われるときに、図３に示した広告表示領域４１における広告のデータの表示開始時から、後述する所定の時間ｔが経過していなければ、表示部２２の広告表示領域４１には、図３における場合と同一の広告のデータが表示される。
【００４７】
また、リモコン１８が、一度表示した記事データを再度表示するように操作された場合には、表示／再生管理部１６は、ミニディスク１４から、まだ表示がされていない広告のデータであって優先順位の最も高いものを読み出し、その広告のデータを、表示部２２の広告表示領域４１に表示させる。即ち、この場合、広告表示領域４１に表示させる広告のデータが、前のものの異なるものに変更される。
【００４８】
さらにまた、表示／再生管理部１６は、タイマ回路２５の出力が参照され、表示部２２の画面表示が、例えば図３に示した状態になってから、その表示状態の変更が行われないまま所定の時間Ｔが経過すると、データ復号部１５を介してミニディスク１４から、まだ表示がされていない広告のデータであって優先順位の最も高いものを読み出し、その広告のデータを表示部２２に出力することにより、その表示を変更させる。これにより、例えば図４に示したような広告のデータの表示（出力）が行われる。そして、広告のデータの出力（表示）が終了すると、表示／再生管理部１６は、ミニディスク１４から元の記事データを読み出し、表示部２２に出力する。これにより、表示部２２の表示状態は、元の状態、即ち、例えば図３に示したようになる。
【００４９】
さらに、表示／再生管理部１６は、表示部２２の広告表示領域４１に広告のデータを表示させてから、所定の時間ｔ（例えば、ｔ＜Ｔ）が経過すると、データ復号部１５を介してミニディスク１４から、まだ表示がされていない広告のデータであって優先順位の最も高いものを読み出し、表示部２２の広告表示領域４１に表示させる。これにより、例えば図６に示すように、一定時間ｔが経過するごとに、広告表示領域４１に表示される広告のデータが変更される。
【００５０】
以上のように、このデータ受信／表示装置３によれば、多くの（多種類の）広告を見られ易くすることができる。即ち、ユーザが、例えばある記事データを表示させたまま、装置を操作していないときには、その時間を利用して広告を見せることができる。また、例えばユーザが、興味のない記事の新聞データ（記事データ）を読みとばしたとしても、それとは無関係に広告を見せることができる。さらに、図４に示したように、表示部２２の画面全体に広告のデータが表示される場合には、その広告に対する印象を、ユーザに強く与えることができる（ユーザに、広告を、効果的に見せることができる）。
【００５１】
次に、図７のフローチャートを参照して、表示／再生管理部１６の動作についてさらに説明する。なお、図７のフローチャートによれば、ページ数が１ずつインクリメントされて、記事データの表示が行われるときに、ｎページに１回の割合で広告のデータ（広告のページ）が表示されるように、表示部２２に連続して表示された記事データのページ数のカウントは、上述したように次のページの記事データの表示がされたときのみ行うようになされている。
【００５２】
表示／再生管理部１６では、装置の電源がＯＮにされると、まず最初にステップＳ１において、初期設定処理が行われる。即ち、表示／再生管理部１６は、図７の処理を実行するＣＰＵ、図７の処理に対応したプログラムおよびシステムプログラムなどを記憶しているＲＯＭ、並びにＣＰＵの動作上必要なデータなどを記憶するＲＡＭなどで構成されており、ステップＳ１では、ＲＡＭや、ＣＰＵのレジスタのクリアなどが行われる。さらに、ステップＳ１においては、必要に応じて、記事／広告リスト記憶部２３や表示ログファイル２４のクリアなども行われる。
【００５３】
その後、表示／再生管理部１６は、ステップＳ２において、データ復号部１５に、ミニディスク１４から、そこに記録されたデータを読み出させ、ステップＳ３に進み、データ復号部１５に、ミニディスク１４から読み出したデータを参照させ、上述したような記事／広告リストを作成させる。さらに、ステップＳ３では、この記事／広告リストが、データ復号部１５から記事／広告リスト記憶部２３に転送されて記憶される。
【００５４】
そして、データ復号部１５によって、ミニディスク１４に記録されたデータのうちの、例えば新聞データの検索画面のデータが再生され、上述したように表示部２２に表示される。その後、検索画面上のいずれかの見出しの位置を指定するようにリモコン１８が操作されると、ステップＳ４に進み、その見出しに関係付けられた記事データが、データ復号部１５を介してミニディスク１４から読み出され、ステップＳ５に進む。ステップＳ５では、記事データ（表示用イメージデータ）が、それを表示させるための表示命令とともに表示部２２に転送される。なお、このとき、記事／広告リスト記憶部２３および表示ログファイル２４が参照され、まだ表示がされていない広告のデータであって優先順位の最も高いものがミニディスク１４から読み出され、その広告のデータも、表示部２２に転送される。さらに、この広告のデータの広告ＩＤおよびステップＳ４でミニディスク１４から読み出された記事データの記事ＩＤは、表示ログファイル２４に記録される。
【００５５】
これにより、図３に示したような画面が表示される。
【００５６】
そして、ステップＳ６に進み、リモコン１８が操作された（以下、適宜、リモコン１８の操作を入力イベントという）か否かが判定される。ステップＳ６において、入力イベントがなかったと判定された場合、ステップＳ７に進み、表示部２２の画面がいまの表示状態になってから、所定の時間Ｔが経過したか否かが判定される。
【００５７】
ステップＳ７において、表示部２２の画面が、いまの表示状態になってから、所定の時間Ｔが経過したと判定された場合、ステップＳ８に進み、記事／広告リスト記憶部２３（記事／広告リスト記憶部２３に記憶された記事／広告リストのうちの広告リスト（広告ＩＤおよび優先順位が記述されたリスト））および表示ログファイル２４が参照され、ミニディスク１４から、まだ表示がされていない広告のデータであって優先順位の最も高いものが読み出される。さらに、その広告のデータが表示部２２に出力され、これにより表示部２２では、図４に示したように、その画面全体に広告のデータが表示される。そして、広告のデータの出力（表示）が終了すると、ステップＳ１１に進み、表示ログファイル２４に、いま表示部２２に表示された広告のデータの広告ＩＤが記録され、ステップＳ６に戻る。
【００５８】
一方、ステップＳ７において、表示部２２の画面がいまの表示状態になってから、所定の時間Ｔが、まだ経過していないと判定された場合、ステップＳ９に進み、表示部２２の広告表示領域４１が、いま表示状態になってから、所定の時間ｔが経過したか否かが判定される。
【００５９】
ステップＳ９において、広告表示領域４１が、いまの表示状態になってから、所定の時間ｔが経過したと判定された場合、ステップＳ１０に進み、記事／広告リスト記憶部２３および表示ログファイル２４が参照され、ミニディスク１４から、まだ表示がされていない広告のデータであって優先順位の最も高いものが読み出される。さらに、その広告のデータが表示部２２に出力され、これにより表示部２２では、図６に示したように、広告表示領域４１で表示される広告のデータが変更される（入れ替えられる）。そして、ステップＳ１１に進み、上述したように、表示ログファイル２４の記録内容が変更され、ステップＳ６に戻る。
【００６０】
また、ステップＳ９において、広告表示領域４１が、いまの表示状態になってから、所定の時間ｔが、まだ経過していないと判定された場合、ステップＳ１０およびＳ１１をスキップして、ステップＳ６に戻る。
【００６１】
一方、ステップＳ６において、入力イベントがあったと判定された場合、ステップＳ１２に進み、その入力イベントが、次のページの記事データを表示させるものであるか否かが判定される。ステップＳ１２において、入力イベントが、次のページの記事データを表示させるものでないと判定された場合、ステップＳ１３に進み、その入力イベントに対応した表示処理が行われる（実行される）。
【００６２】
即ち、例えば入力イベントが、前のページの記事データを表示させるものであった場合には、その記事データがミニディスク１４から読み出され、表示部２２に供給されて表示される。
【００６３】
その後、ステップＳ１４に進み、ステップＳ１３で表示部２２に表示された記事データの記事ＩＤが、表示ログファイル２４に記録されているか否かが判定される。ステップＳ１４において、その記事ＩＤが、表示ログファイル２４に、既に記録されていると判定された場合、ステップＳ１１をスキップして、ステップＳ６に戻る。また、ステップＳ１４において、ステップＳ１３で表示部２２に表示された記事データの記事ＩＤが、表示ログファイル２４に記録されていないと判定された場合、ステップＳ１１に進み、その記事ＩＤが、表示ログファイル２４に記録され、ステップＳ６に戻る。
【００６４】
一方、ステップＳ１２において、入力イベントが、次のページの記事データを表示させるものであると判定された場合、ステップＳ１５に進み、その入力イベントに対応して表示させる記事データが、前回、表示部２２の画面全体に広告のデータが表示されてから、ｎ＋１ページ目のものであるか否かが判定される。
【００６５】
ステップＳ１５において、入力イベントに対応して表示させる記事データが、前回、表示部２２の画面全体に広告のデータが表示されてから、ｎ＋１ページ目のものでないと判定された場合（ｎページ目以内のものである場合）、ステップＳ１７に進み、前回、表示部２２の画面全体に広告のデータが表示されてから、入力イベントに対応して表示された記事データのページ数をカウントする変数Ｐが１だけインクリメントされ、ステップＳ４に戻る。なお、この場合、ステップＳ４では、入力イベントに対応したページの記事データが、データ復号部１５を介してミニディスク１４から読み出される。
【００６６】
ここで、上述した変数Ｐは、後述するステップＳ１６の処理（表示部２２の画面全体に広告のデータを表示させる処理）が行われるごとにリセットされる（０にされる）ようになされている。また、ステップＳ１５の判定処理は、この変数Ｐを参照することにより行われるようになされている。
【００６７】
一方、ステップＳ１５において、入力イベントに対応して表示させる記事データが、前回、表示部２２の画面全体に広告のデータが表示されてから、ｎ＋１ページ目のものであると判定された場合、ステップＳ１６に進み、記事／広告リスト記憶部２３および表示ログファイル２４が参照され、ミニディスク１４から、まだ表示がされていない広告のデータであって優先順位の最も高いものが読み出される。さらに、その広告のデータが表示部２２に出力され、これにより表示部２２では、図４に示したように、その画面全体に広告のデータが表示される。そして、広告のデータの出力（表示）が終了すると、ステップＳ１７に進み、以下上述した処理が行われる。
【００６８】
以上、本発明を、衛星回線を介して伝送されてくるデータを受信するデータ受信／表示装置３に適用した場合について説明したが、本発明は、この他、衛星回線以外の無線回線や、ＰＳＴＮや、ＩＳＤＮ、ＣＡＴＶのケーブル、専用線、その他のデータ線などのような有線回線を介して伝送されてくるデータを受信する装置に適用可能である。
【００６９】
なお、本実施例においては、広告のデータを含む新聞データを受信するようにしたが、この他、広告のデータを含む、例えば雑誌や書籍などの刊行物のデータや、その他のデータを受信するようにすることも可能である。
【００７０】
また、所定の時間Ｔまたはｔのカウント値は、入力イベントがあるごとにリセットするようにすることができる。この場合、入力イベントがないまま、同一の表示状態が、所定の時間Ｔまたはｔだけ続いたときに、上述したような広告のデータの表示または変更が、それぞれ行われることになる。
【００７１】
さらに、表示／再生管理部１６は、所定のセンタ局（図示せず）（例えば、上述したデータ放送を行うサービス会社など）と、例えば電話回線などで接続するようにすることができる。所定のセンタ局と表示／再生管理部１６が、電話回線で接続されている場合、表示／再生管理部１６は、そのセンタ局と、例えば定期的に通信を行うようにすることができる。そして、その定期通信において、表示／再生管理部１６には、表示ログファイル２４の記録内容のうちの広告ＩＤを、センタ局に送信させるようにすることができる。
【００７２】
この場合、センタ局は、例えばユーザの管理を行うための計算機（ユーザ管理計算機）を有しており、そのユーザ管理計算機によって、表示／再生管理部１６から送信されてきた広告ＩＤが受信されて記憶される。さらに、ユーザ管理計算機では、記憶した広告ＩＤが参照され、広告の視聴状況の集計が行われる。そして、その集計結果は、例えばスポンサや広告制作会社などに提供される。
【００７３】
【発明の効果】
以上の如く、本発明によれば、ユーザに広告が見られ易くすることができる。
【図面の簡単な説明】
【図１】本発明を適用したデータ放送システムの構成例を示すブロック図である。
【図２】図１のデータ受信／表示装置３の一実施例の構成を示すブロック図である。
【図３】記事データが表示されている様子を示す図である。
【図４】広告のデータが出力されている様子を示す図である。
【図５】広告のデータの出力後に、記事データが表示されている様子を示す図である。
【図６】広告のデータの表示が変更される様子を示す図である。
【図７】図２の表示／再生管理部１６の動作を説明するフローチャートである。
【符号の説明】
１  制作／編集システム
２  放送送信装置
３  データ受信／表示装置
１１  受信アンテナ
１２  データ受信部
１３  データ記録部
１３ａ  スロット
１４  ミニディスク
１５  データ復号部
１６  表示／再生管理部
１７  指示操作入力部
１８  リモコン
１９  音声再生部
２０  スピーカ
２１  動画再生部
２２  表示部
２３  記事／広告リスト記憶部
２４  表示ログファイル
２５  タイマ回路
３１  カーソル
４１  広告表示領域
【図１】
0003707059.tif 000002
【図２】
0003707059.tif 000003
【図３】
0003707059.tif 000004
【図４】
0003707059.tif 000005
【図５】
0003707059.tif 000006
【図６】
0003707059.tif 000007
【図７】
0003707059.tif 000008